(57)【要約】【課題】  コイルをレンズホルダに直接巻き付ける構成において、フォーカシングコイルで発生する駆動力を増大できる光ピックアップを提供する。【解決手段】  対物レンズと、レンズホルダと、前記レンズホルダに巻き付けられたフォーカシングコイルおよびトラッキングコイルと、マグネットと、前記レンズホルダを支持する支持部材と、複数の支持部材固定部とを有する光ピックアップにおいて、前記フォーカシングコイルは、前記レンズホルダの前記光ディスクの半径方向における一方の側と他方の側に巻き付けられ、前記トラッキングコイルは、前記レンズホルダの２つの側面の中央部に巻き付けられ、前記フォーカシングコイルと前記トラッキングコイルの間に空隙を有し、前記複数の支持部材固定部の間に前記フォーカシングコイルが巻き付けられている光ピックアップとする。【選択図】  図１
2014067470.tif 000002
【特許請求の範囲】
【請求項１】
光ディスクに光を集光する対物レンズと、前記対物レンズを取り付けたレンズホルダと、前記レンズホルダに巻き付けられたフォーカシングコイルおよびトラッキングコイルと、前記レンズホルダの前記光ディスクの半径方向に平行な２つの側面に対向して配置されたマグネットと、前記レンズホルダを支持する支持部材と、前記レンズホルダの前記光ディスクの半径方向に垂直な２つの側面に設けられた複数の支持部材固定部とを有する光ピックアップにおいて、
前記フォーカシングコイルは、前記対物レンズの光軸と平行な方向を巻回中心軸として、前記レンズホルダの前記光ディスクの半径方向における一方の側と他方の側に巻き付けられ、
前記トラッキングコイルは、前記レンズホルダの前記光ディスクの半径方向に平行な２つの側面の中央部に巻き付けられ、
前記フォーカシングコイルと前記トラッキングコイルの間に空隙を有し、
前記複数の支持部材固定部の間に前記フォーカシングコイルが巻き付けられていることを特徴とする光ピックアップ。
【請求項２】
請求項１に記載の光ピックアップにおいて、
前記マグネットは、前記光ディスクの半径方向における一方の側と他方の側に配置され、  前記一方の側と他方の側で前記レンズホルダに面する極性が異なり、
前記対物レンズの光軸方向における前記複数の支持部材固定部の間に前記フォーカシングコイルが巻き付けられていることを特徴とする光ピックアップ。
【請求項３】
請求項２に記載の光ピックアップにおいて、
前記フォーカシングコイルと前記トラッキングコイルのそれぞれの端末を巻き付ける絡げ端子を有し、
前記絡げ端子が、前記レンズホルダの前記光ディスクの半径方向に平行な側面から前記支持部材の軸方向に突出していることを特徴とする光ピックアップ。
【請求項４】
請求項３に記載の光ピックアップにおいて、
前記フォーカシングコイルの前記光ディスクの半径方向における前記対物レンズから遠い側の端面が、前記絡げ端子の位置よりも前記対物レンズの光軸から遠い側に位置することを特徴とする光ピックアップ。
【請求項５】
請求項４に記載の光ピックアップにおいて、
前記フォーカシングコイルの前記光ディスクの半径方向における前記対物レンズから遠い側の端面が、前記支持部材の位置よりも前記対物レンズの光軸から遠い側に位置することを特徴とする光ピックアップ。
【請求項６】
請求項１に記載の光ピックアップにおいて、
前記フォーカシングコイルと前記トラッキングコイルの間の空隙は、前記フォーカシングコイルが巻き付けられる平面において、前記フォーカシングコイルの巻回中心軸から前記フォーカシングコイルの外形の角部までの距離を半径とする第一の円と、前記フォーカシングコイルの巻回中心軸から前記レンズホルダの前記トラッキングコイル巻き付け部までの距離を半径とする第二の円との間が空間となっていることを特徴とする光ピックアップ。
【請求項７】
光ディスクに光を集光する対物レンズと、前記対物レンズを取り付けたレンズホルダと、前記レンズホルダに巻き付けられたフォーカシングコイルおよびトラッキングコイルと、前記レンズホルダの前記光ディスクの半径方向に平行な２つの側面に対向して配置されたマグネットと、前記レンズホルダを支持する支持部材と、前記レンズホルダの前記光ディスクの半径方向に垂直な２つの側面に設けられた複数の支持部材固定部とを有する光ピックアップにおいて、
前記マグネットは、前記光ディスクの半径方向における一方の側と他方の側に配置され、前記一方の側と他方の側で前記レンズホルダに面する極性が異なり、
前記フォーカシングコイルは、前記対物レンズの光軸と平行な方向を巻回中心軸として、前記レンズホルダの前記光ディスクの半径方向における一方の側と他方の側に巻き付けられ、
前記トラッキングコイルは、前記レンズホルダの前記光ディスクの半径方向に平行な２つの側面の中央部に巻き付けられ、
前記フォーカシングコイルが巻き付けられる平面において、前記フォーカシングコイルの巻回中心軸から前記フォーカシングコイルの外形の角部までの距離を半径とする第一の円と、前記フォーカシングコイルの巻回中心軸から前記レンズホルダの前記トラッキングコイル巻き付け部までの距離を半径とする第二の円との間が空間となっていることを特徴とする光ピックアップ。
【発明の詳細な説明】
【技術分野】
【０００１】
本発明は、光ディスクの記録面上に記録された情報を読み出す、または光ディスクに情報を記録する光ディスク装置が備える光ピックアップに関する。
【背景技術】
【０００２】
本技術分野の背景技術として、特開２００９−１８７６１９号公報（特許文献１）がある。この公報には、フォーカシングコイルとトラッキングコイルをレンズホルダに直接巻き付ける構成として、トラッキングコイルが巻き付けられるレンズホルダの延長面とフォーカシングコイルとの間に隙間が存在し、ワイヤの支持部およびレンズホルダから突出した支柱とフォーカシングコイルとの間に隙間が存在する構成が記載されている（段落００３６、図２参照）。
【先行技術文献】
【特許文献】
【０００３】
【特許文献１】特開２００９−１８７６１９号公報
【発明の概要】
【発明が解決しようとする課題】
【０００４】
上記特許文献１では、ワイヤを固定する支持部がレンズホルダの側面から突出して、下方に延在する。また、ワイヤの端部の半田付け箇所である絡げ端子が形成された支柱も、支持部と同様にレンズホルダの側面から突出して、下方に延在する。このようにワイヤの支持部と支柱がレンズホルダの側面から下方に延在する構成となっているので、フォーカシングコイルをレンズホルダに巻き付けるためには、ワイヤの支持部および支柱とフォーカシングコイルとの間に隙間が必要である。レンズホルダの外形は装置寸法で制約されるので、この隙間を設けることは、フォーカシングコイルの長さを短くすることにつながる。したがって、上記特許文献１では、フォーカシングコイルで発生する駆動力を大きくすることに関して十分には配慮されていない。
【０００５】
本発明の目的は、コイルをレンズホルダに直接巻き付ける構成においてコイルで発生する駆動力を増大できる光ピックアップを提供することである。
【課題を解決するための手段】
【０００６】
上記課題を解決するために、例えば特許請求の範囲に記載の構成を採用する。本願は上記課題を解決する手段を複数含んでいるが、その一例を挙げるならば、光ディスクに光を集光する対物レンズと、前記対物レンズを取り付けたレンズホルダと、前記レンズホルダに巻き付けられたフォーカシングコイルおよびトラッキングコイルと、前記レンズホルダの前記光ディスクの半径方向に平行な２つの側面に対向して配置されたマグネットと、前記レンズホルダを支持する支持部材と、前記レンズホルダの前記光ディスクの半径方向に垂直な２つの側面に設けられた複数の支持部材固定部とを有する光ピックアップにおいて、前記フォーカシングコイルは、前記対物レンズの光軸と平行な方向を巻回中心軸として、前記レンズホルダの前記光ディスクの半径方向における一方の側と他方の側に巻き付けられ、前記トラッキングコイルは、前記レンズホルダの前記光ディスクの半径方向に平行な２つの側面の中央部に巻き付けられ、前記フォーカシングコイルと前記トラッキングコイルの間に空隙を有し、前記複数の支持部材固定部の間に前記フォーカシングコイルが巻き付けられていることを特徴とする。
【０００７】
また、前記マグネットは、前記光ディスクの半径方向における一方の側と他方の側に配置され、前記一方の側と他方の側で前記レンズホルダに面する極性が異なり、前記対物レンズの光軸方向における前記複数の支持部材固定部の間に前記フォーカシングコイルが巻き付けられていることを特徴とする。
【０００８】
また、前記フォーカシングコイルと前記トラッキングコイルのそれぞれの端末を巻き付ける絡げ端子を有し、前記絡げ端子が、前記レンズホルダの前記光ディスクの半径方向に平行な側面から前記支持部材の軸方向に突出していることを特徴とする。
【０００９】
また、前記フォーカシングコイルの前記光ディスクの半径方向における前記対物レンズから遠い側の端面が、前記絡げ端子の位置よりも前記対物レンズの光軸から遠い側に位置することを特徴とする。
【００１０】
また、前記フォーカシングコイルの前記光ディスクの半径方向における前記対物レンズから遠い側の端面が、前記支持部材の位置よりも前記対物レンズの光軸から遠い側に位置することを特徴とする。
【００１１】
また、前記フォーカシングコイルと前記トラッキングコイルの間の空隙は、前記フォーカシングコイルが巻き付けられる平面において、前記フォーカシングコイルの巻回中心軸から前記フォーカシングコイルの外形の角部までの距離を半径とする第一の円と、前記フォーカシングコイルの巻回中心軸から前記レンズホルダの前記トラッキングコイル巻き付け部までの距離を半径とする第二の円との間が空間となっていることを特徴とする。
【００１２】
また、光ディスクに光を集光する対物レンズと、前記対物レンズを取り付けたレンズホルダと、前記レンズホルダに巻き付けられたフォーカシングコイルおよびトラッキングコイルと、前記レンズホルダの前記光ディスクの半径方向に平行な２つの側面に対向して配置されたマグネットと、前記レンズホルダを支持する支持部材と、前記レンズホルダの前記光ディスクの半径方向に垂直な２つの側面に設けられた複数の支持部材固定部とを有する光ピックアップにおいて、前記マグネットは、前記光ディスクの半径方向における一方の側と他方の側に配置され、前記一方の側と他方の側で前記レンズホルダに面する極性が異なり、前記フォーカシングコイルは、前記対物レンズの光軸と平行な方向を巻回中心軸として、前記レンズホルダの前記光ディスクの半径方向における一方の側と他方の側に巻き付けられ、前記トラッキングコイルは、前記レンズホルダの前記光ディスクの半径方向に平行な２つの側面の中央部に巻き付けられ、前記フォーカシングコイルが巻き付けられる平面において、前記フォーカシングコイルの巻回中心軸から前記フォーカシングコイルの外形の角部までの距離を半径とする第一の円と、前記フォーカシングコイルの巻回中心軸から前記レンズホルダの前記トラッキングコイル巻き付け部までの距離を半径とする第二の円との間が空間となっていることを特徴とする。
【発明の効果】
【００１３】
本発明によれば、マグネットに対向するフォーカシングコイルを長くすることができるので、フォーカシングコイルで発生する駆動力の大きい光ピックアップを提供できる。
【図面の簡単な説明】
【００１４】
【図１】本発明の実施例１に係わる光ピックアップの分解斜視図である。
【図２】本発明の実施例１に係わるレンズホルダの斜視図である。
【図３】本発明の実施例１に係わる光ピックアップの上面図である。
【図４】本発明の実施例１に係わる光ピックアップの斜視図である。
【図５】本発明の実施例１に係わるレンズホルダの平面図である。
【図６】本発明の実施例１に係わるレンズホルダの断面図である。
【図７】本発明の実施例２に係わるレンズホルダを示す図である。
【発明を実施するための形態】
【００１５】
以下、本発明の実施例を、図面を用いて説明する。なお、同一の符号を付された構成は、同一の機能を有するので、既に当該符号の説明されている場合それらの説明は省略することがある。
【実施例１】
【００１６】
図１は本実施例の光ピックアップの対物レンズ駆動手段５０を示す分解斜視図である。
図中、ｚ方向は対物レンズ１の光軸方向であり、対物レンズ１を、図示していない光ディスクに接近または離遠させるフォーカシング方向である。ｚ方向において、光ディスクに近い側を上、光ディスクから遠い側を下とする。ｙ方向は光ディスクの半径方向であり、対物レンズ１を光ディスクのトラックに対して位置決めするトラッキング方向である。ｘ方向はｙ方向とｚ方向の双方に直交する方向であり、光ディスクの接線方向である。ｘ軸周りの回転方向が光ディスクの半径方向への傾きを示すチルト方向である。
【００１７】
対物レンズ１はレンズホルダ２の上面に搭載される。レンズホルダ２は、その下部に、光ディスクの半径方向（ｙ方向）における一方の側と他方の側に突出部８ａ、８ｂを有する。また、レンズホルダ２は、光ディスクの半径方向（ｙ方向）に垂直な２つの側面のそれぞれに、上側から順に、第一の支持部材固定部９ａ、第二の支持部材固定部９ｂ、第三の支持部材固定部９ｃを有する。
【００１８】
フォーカシングコイルは第一のフォーカシングコイル３と第二のフォーカシングコイル４から成る。第一のフォーカシングコイル３は、対物レンズ１の光軸と平行な方向（ｚ方向）を巻回中心軸として、レンズホルダ２の一方の側の突出部８ａに巻き付けられる。第二のフォーカシングコイル４は、対物レンズ１の光軸と平行な方向（ｚ方向）を巻回中心軸として、レンズホルダ２の他方の側の突出部８ｂに巻き付けられる。このとき、第一のフォーカシングコイル３および第二のフォーカシングコイル４は、対物レンズ１の光軸方向（ｚ方向）において第二の支持部材固定部９ｂと第三の支持部材固定部９ｃの間に巻き付けられる。
【００１９】
レンズホルダ２は、光ディスクの半径方向（ｙ方向）に平行な２つの側面のそれぞれの中央部に巻き枠１０を有する。この巻き枠１０にトラッキングコイル５が巻き付けられる。
【００２０】
レンズホルダ２は支持部材６により固定部７に対して変位可能に支持される。支持部材６の一端側は、レンズホルダ２に設けられた第一の支持部材固定部９ａと第二の支持部材固定部９ｂと第三の支持部材固定部９ｃに通されて接着剤等で固定される。支持部材６の他端側は固定部７に接着剤等で固定される。
【００２１】
光ディスクの半径方向（ｙ方向）に平行なレンズホルダ２の２つの側面に対向して、それぞれ２個のマグネット１１ａ、１１ｂ、および１１ｃ、１１ｄが配置される。マグネット１１ａ〜１１ｄは磁性体であるヨーク１２に取り付けられる。なお、図1中の符号２０は絡げ端子であり、後述の図２を用いて説明する。
【００２２】
図２は、レンズホルダ２に第一のフォーカシングコイル３と第二のフォーカシングコイル４とトラッキングコイル５を巻き付け、支持部材６を支持部材固定部９ａ、９ｂ、９ｃに通した状態を示す斜視図である。
【００２３】
レンズホルダ２は、光ディスクの半径方向（ｙ方向）に平行で固定部７(図1に図示される)から遠い側の側面から、支持部材６の軸方向に突出した絡げ端子２０を有する。第一のフォーカシングコイル３と第二のフォーカシングコイル４とトラッキングコイル５の端末は、それぞれ所定の絡げ端子２０に巻き付けられる。図２には示していないが、絡げ端子２０に巻き付けられた第一のフォーカシングコイル３と第二のフォーカシングコイル４とトラッキングコイル５の端末は、それぞれ支持部材６の一端と半田等により電気的に接続される。
【００２４】
図３は、対物レンズ駆動手段５０の主要部を示す上面図である。マグネット１１ａ〜１１ｄは、光ディスクの半径方向（ｙ方向）における一方の側と他方の側に配置され、一方の側と他方の側でレンズホルダ２に面する極性が異なる。図３では、光ディスクの半径方向（ｙ方向）における一方の側のマグネット１１ａ、１１ｃは、レンズホルダ２に面した側の極性がＳ極、ヨーク１２に取り付けられた側の極性がＮ極であり、光ディスクの半径方向（ｙ方向）における他方の側のマグネット１１ｂ、１１ｄは、レンズホルダ２に面した側の極性がＮ極、ヨーク１２に取り付けられた側の極性がＳ極である。
【００２５】
なお、Ｎ極とＳ極の組合せは図３と逆の場合でも構わない。
【００２６】
この対物レンズ駆動手段５０において、第一のフォーカシングコイル３および第二のフォーカシングコイル４に電流を流すと、マグネット１１ａ〜１１ｄとの電磁作用によりフォーカシング方向の駆動力が発生する。また、トラッキングコイル５に電流を流すと、マグネット１１ａ〜１１ｄとの電磁作用によりトラッキング方向の駆動力が発生する。また、第一のフォーカシングコイル３と第二のフォーカシングコイル４に供給する電流に差を与えることで、第一のフォーカシングコイル３と第二のフォーカシングコイル４で発生する駆動力に差が生じ、この差によってチルト方向の回転力を得ることができる。
【００２７】
図４は光ピックアップ１１０を示す図である。光ピックアップ１１０に備えられたレーザ発光素子１１１から発せられたレーザ光は、対物レンズ１により、図示していない光ディスクに集光して、反射する。光ディスクで反射したレーザ光は、対物レンズ１を通過し、光ピックアップ１１０に備えられた光検出器１１２に入射する。光検出器１１２で得られた信号からサーボ信号が検出され、そのサーボ信号に基づいて図1や図3などに示される対物レンズ駆動手段５０の第一のフォーカシングコイル３と、第二のフォーカシングコイル４、およびトラッキングコイル５に駆動電流が入力され、対物レンズ１の位置決め制御が行われる。また、光検出器１１２で得られた信号から再生信号が検出され、光ディスクの情報が再生される。
【００２８】
第一のフォーカシングコイル３および第二のフォーカシングコイル４でフォーカシング方向の駆動力を発生する主な部分は、マグネット１１ａ〜１１ｄに対向している部分である。したがって、マグネット１１ａ〜１１ｄに対向する第一のフォーカシングコイル３および第二のフォーカシングコイル４の長さを大きくすることが、フォーカシング方向の駆動力を大きくすることにつながる。
【００２９】
図５はレンズホルダ２に第一のフォーカシングコイル３と第二のフォーカシングコイル４とトラッキングコイル５を巻き付け、対物レンズ１を取り付けた状態を示す正面図である。
【００３０】
本実施例によれば、第一のフォーカシングコイル３および第二のフォーカシングコイル４を、対物レンズ１の光軸方向（ｚ方向）において第二の支持部材固定部９ｂと第三の支持部材固定部９ｃの間に巻き付けることにより、従来のような、支持部材固定部を板状につなげた支持部あるいは支柱とフォーカシングコイルとの隙間を設けなくてもよい。
【００３１】
また、本実施例では、絡げ端子２０がレンズホルダ２の光ディスクの半径方向（ｙ方向）に平行な側面から支持部材６の軸方向に突出している。これにより、第一のフォーカシングコイル３と第二のフォーカシングコイル４の光ディスクの半径方向（ｙ方向）における対物レンズ１から遠い側の端面を、絡げ端子２０よりも対物レンズ１の光軸から遠い位置に配置することができる。
【００３２】
本実施例と異なり、絡げ端子２０の突出方向がレンズホルダ２の光ディスクの半径方向（ｙ方向）に垂直な側面から光ディスクの半径方向（ｙ方向）に平行に突出している場合(この場合を比較例とする。)では、絡げ端子と第一のフォーカシングコイル３および第二のフォーカシングコイル４が干渉するので、第一のフォーカシングコイル３と第二のフォーカシングコイル４の光ディスクの半径方向（ｙ方向）における対物レンズ１から遠い側の端面を、絡げ端子２０よりも対物レンズ１の光軸から遠い位置に配置することができない。
【００３３】
すなわち、図５において、第一のフォーカシングコイル３および第二のフォーカシングコイル４の光ディスクの半径方向（ｙ方向）における対物レンズ１から遠い側の端面と対物レンズ１の光軸との距離Ｌ２は、絡げ端子２０と対物レンズ１の光軸との距離Ｌ１よりも大きい距離の構成と出来る。
【００３４】
このように構成することで、マグネット１１ａ〜１１ｄに対向する第一のフォーカシングコイル３および第二のフォーカシングコイル４の長さを、前述の比較例より大きくすることができ、第一のフォーカシングコイル３および第二のフォーカシングコイル４で発生する駆動力を増大できる。
【００３５】
次に、本実施例の他の効果を、図６を用いて説明する。図６は図５におけるＡ−Ａ断面を示す図である。なお、図６において、対物レンズ1、第一から第三の支持部材固定部９ａ〜９ｃ、絡げ端子２０は、Ａ−Ａ断面には、存在しないが、平面的な位置関係がわかるように記載している。
【００３６】
図５において、第一のフォーカシングコイル３および第二のフォーカシングコイル４は、トラッキングコイル５との間に空隙１３を有する。この空隙１３を設けることにより、第一のフォーカシングコイル３および第二のフォーカシングコイル４を供給するノズル（図示せず）をレンズホルダ２の突出部８ａ、８ｂ（図１に図示される）の周囲で回転させ、第一のフォーカシングコイル３および第二のフォーカシングコイル４を巻線機によりレンズホルダ２に直接巻き付けることができる。
【００３７】
さらに、第一のフォーカシングコイル３および第二のフォーカシングコイル４が巻き付けられる平面を示す図６において、第一のフォーカシングコイル３の巻回中心軸から第一のフォーカシングコイル３の外形の角部までの距離を半径ｒ１とする第一の円ｃ１と、第一のフォーカシングコイル３の巻回中心軸からトラッキングコイル５が巻き付けられるレンズホルダ２の壁の端部までの距離を半径ｒ２とする第二の円ｃ２とを想定すると、第一の円ｃ１と第二の円ｃ２との間が、ピックアップを構成する他の構造物に邪魔されない空間となっている、又は空間を有している状態であると言える。なお、第二のフォーカシングコイル４側も同様である。
【００３８】
これにより、第一のフォーカシングコイル３および第二のフォーカシングコイル４を供給するノズル（図示せず）を、第一の円ｃ１と第二の円ｃ２との間の空間を円軌道（半径ｒがｒ１＜ｒ＜ｒ２）で回転させて、第一のフォーカシングコイル３と第二のフォーカシングコイル４をレンズホルダ２に巻き付けることができる。
【００３９】
先に述べた背景技術のような、支持部材固定部を板状につなげた支持部あるいは支柱とフォーカシングコイルとの隙間をノズルが通過する構成では、ノズルを円軌道で回転させるためには、支持部あるいは支柱とフォーカシングコイルとの隙間を相当広くする必要がある。これは装置寸法により困難であり、先に述べた背景技術の構成では、ノズルは矩形軌道とならざるを得ない。
【００４０】
矩形軌道の場合は、角部でノズルが一旦停止し、方向を変えて再び動き出すので、角部ではノズルの移動速度が低下する。
【００４１】
一方、本実施例のように、円軌道（半径ｒがｒ１＜ｒ＜ｒ２）の場合は、一定の速度でノズルが移動できるので、矩形軌道よりも巻線時間を短縮できる。例えば本実施例の構成では、円軌道の巻線時間は矩形軌道よりも約３０％低減できる。したがって、製造コストを大幅に低減することができる。ここで、円軌道とは、厳密な真円である必要は無く、略円軌道でもよいが、一定の速度でノズルが移動できる程度の円軌道を言う。
【実施例２】
【００４２】
次に、本発明の他の実施例を、図７を用いて説明する。
【００４３】
図７（ａ）は、レンズホルダ２２に第一のフォーカシングコイル２３と第二のフォーカシングコイル２４とトラッキングコイル５を巻き付け、支持部材６と対物レンズ１を取り付けた状態を示す斜視図である。図７（ｂ）は、その正面図である。
【００４４】
レンズホルダ２２は、光ディスクの半径方向（ｙ方向）に垂直な２つの側面に、対物レンズ１から離れる方向に突出する巻枠３０を有する。第一のフォーカシングコイル２３と第二のフォーカシングコイル２４は、巻枠３０の間に巻き付けられる。その他の構成は実施例１と同じである。
【００４５】
本実施例では、絡げ端子２０がレンズホルダ２２の光ディスクの半径方向（ｙ方向）に平行な側面から支持部材６の軸方向に突出しているので、巻枠３０をレンズホルダ２２の光ディスクの半径方向（ｙ方向）に垂直な側面から外側に突出させることが可能である。
【００４６】
絡げ端子２０の突出方向が本実施例と異なり、レンズホルダ２２の光ディスクの半径方向（ｙ方向）に垂直な側面から光ディスクの半径方向（ｙ方向）に平行に突出している場合（先に述べた背景技術のような構成）は、絡げ端子と巻枠３０が干渉するので、巻枠３０をレンズホルダ２２の光ディスクの半径方向（ｙ方向）に垂直な側面から外側に突出させることができない。
【００４７】
本実施例では、絡げ端子２０を支持部材６の軸方向に突出させることで、巻枠３０をレンズホルダ２２の光ディスクの半径方向（ｙ方向）に垂直な側面から外側に突出させることが可能となり、第一のフォーカシングコイル２３と第二のフォーカシングコイル２４を背景技術のような構成のみならず、実施例１よりも光ディスクの半径方向（ｙ方向）に長く配置することができる。
【００４８】
すなわち、図７（ｂ）において、第一のフォーカシングコイル２３および第二のフォーカシングコイル２４の光ディスクの半径方向（ｙ方向）における対物レンズ１から遠い側の端面と対物レンズ１の光軸との距離Ｌ２’は、支持部材６と対物レンズ１の光軸との距離Ｌ３よりも大きい。
【００４９】
このように構成することで、マグネットに対向する第一のフォーカシングコイル２３および第二のフォーカシングコイル２４の長さを、実施例1の場合よりさらに大きくすることができる。したがって、第一のフォーカシングコイル２３および第二のフォーカシングコイル２４で発生する駆動力を増大することができる。
【００５０】
なお、本発明は上記した実施例に限定されるものではなく、様々な変形例が含まれる。
例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。 
【符号の説明】
【００５１】
１      対物レンズ
２      レンズホルダ
３      第一のフォーカシングコイル
４      第二のフォーカシングコイル
５      トラッキングコイル
６      支持部材
７      固定部
８ａ    レンズホルダの一方の側の突出部
８ｂ    レンズホルダの他方の側の突出部
９ａ    第一の支持部材固定部
９ｂ    第二の支持部材固定部
９ｃ    第三の支持部材固定部
１０    巻き枠
１１ａ〜１１ｄ    マグネット
１２    ヨーク
１３    空隙
２０    絡げ端子
５０    対物レンズ駆動手段
１１０  光ピックアップ
１１１  レーザ発光素子
１１２  光検出器
【図１】
2014067470.tif 000003
【図２】
2014067470.tif 000004
【図３】
2014067470.tif 000005
【図４】
2014067470.tif 000006
【図５】
2014067470.tif 000007
【図６】
2014067470.tif 000008
【図７】
2014067470.tif 000009